(57)【要約】【課題】  指サックが簡単に嵌める事ができる様にし、かつ指サックの破損が起らない様にした指サックの嵌め方を提供すること。【解決手段】  指サック２の外周を指挿入口からクルクル巻いてその長さを縮めたサック縮小体３をその形が保持される保持具５に保持しておき、この保持具５から取り外したサック縮小体３を指サックに当ててその外周の巻きを順次解いて指に沿って指サックを伸ばしながら指に嵌め込む様にする。【選択図】図１
2016215618.tif 000002
【特許請求の範囲】
【請求項１】
指サックの外周を指挿入口からクルクル巻いてその長さを縮めたサック縮小体をその形が保持される保持具に保持しておき、この保持具から取り外した前記サック縮小体を指先に当ててその外周の巻きを順次解いて指に沿って指サックを伸ばしながら指に嵌める指サックの嵌め方。
【請求項２】
サック縮小体の外径より小さい横幅の長穴を有する保持具にサック縮小体を保持しておく請求項１記載の指サックの嵌め方。
【発明の詳細な説明】
【技術分野】
【０００１】  本発明はページをめくる等に使われる指サックの嵌め方に係わり、簡単で、破れる事なく指サックを指に嵌める方法に関するものである。
【背景技術】
【０００２】  一般に指サックは高摩擦材料で作られ、指に嵌めてページをめくる等の為に使われるが、指から抜け易い為、細い指サックを無理に拡げて指に嵌め込み、抜けるのを防止している。この為、嵌めるのに苦労する上、指サックが破損する事も起った。
【発明の開示】
【発明が解決しようとする課題】
【０００３】  本発明の目的は、指サックの外周を指挿入口からクルクル巻いて予め長さを縮めて保持具に保持しておき、指サックを嵌める時はこれを指先に当ててその外周の巻きを順次解いて指に沿って指サックを伸ばしながら指に嵌める様にし、これにより指サックを簡単に嵌める事ができる様にし、かつ指サックの破損が起らない様にした指サックの嵌め方を提供するところにある。
【課題を解決する為の手段】
【０００４】  本発明は上記目的を達成する為、指サックの外周を指挿入口からクルクル巻いてその長さを縮めたサック縮小体をその形が保持される保持具に保持しておき、この保持具から取り外した前記サック縮体を指先に当ててその外周の巻きを順次解いて指に沿って指サックを伸ばしながら指に嵌める様にした。
【発明の効果】
【０００５】  本発明では指サックの外周を指挿入口からクルクル巻いて、長さを縮めたサック縮小体を予め保持具に保持しておくのである。従って、これを指に嵌めるには前記サック縮小体を保持具から取り外して指先に当て、その外周の巻きを順次解いて指に沿って指サックを伸ばしてゆけば、自然に指に嵌める事ができ、極めて簡単に指に嵌める事ができる。この事は同時に従来の様に無理に拡げて指に嵌め込まないから、破損も起らない利点も生み出す。
指に嵌めた指サックを抜く時は指サックの外周を指挿入口からクルクル巻いて長さを縮めてゆけば、自然と指から抜けてサック縮小体となり、これは保持具に保持しておいて次に指に嵌める時に使う。即ち、上記サック縮小体は指サックを指から抜く時に自然に形成されるものであり、指サックを指に嵌める時も抜く時も従来の様に無理に拡げて引っ張る必要はない。
【発明を実施する為の形態】
【０００６】  図１は本発明による指サックの嵌め方を示し、図１（イ）において指１には指サック２が嵌められていて、指サック２の外周をその指挿入口（指サックを指に挿入する時の挿入口）から図示の如く親指と人差し指とを使いクルクル巻いてゆくとその長さが縮められ、図１（ロ）の如くサック縮小体３（円盤状のもの）が形成される。４は指サックを最後まで巻いても残る巻き残り部で、指先の僅かな部分に相当する袋状のものである。このサック縮小体３は図１（ハ）の如く保持具５に保持させて、その形を保持しておく（指サックのゴムの弾性により巻きが解かれて伸びない様にしておく）。この保持具５は長穴６を有し（図ではその両端が閉じた長穴である）、この長穴６にサック縮小体３を挿入して保持しておくのである。この長穴６の横幅、高さはサック縮小体３のそれより僅かに大き目に作られているから、容易にすっぽりと挿入する事ができる。但し、サック縮小体３は弾性力があるからその形は常に大きくなろうとする為、長穴６に挿入されるとサック縮小体３はしっかりと固定される。７はサック縮小体３の巻き残り部４をスムーズに挿入する為の切欠き部であり、必要不可欠なものではない。
サック縮小体３をより強固に保持具５に保持しておく為には、長穴６の横幅をサック縮小体３の外径より小さくして、サック縮小体３を楕円形に変形させて挿入しておくのが良い。次に指サックを指に嵌める方法を説明すると、図１（ハ）で保持具５に保持されたサック縮小体３を取り外して図１（ホ）の如く指先に当て、図１（ヘ）の如くその外周の巻きを順次解いて（図示の様に親指と人差し指を使って）指に沿って指サックを伸ばしてゆけば図１（ト）の如く簡単に嵌め込む事ができる。この場合、図１（ホ）の如くサック縮小体３を指先に当てる前に図１（ニ）の如くその外周を外側へ回して巻き残り部４をできる限り小さくしておくと、図１（ト）において指先にピッタリと指サックが張り付く様になる。以上によれば、従来の様に細い指サックを無理に拡げて引っ張りながら指に嵌める必要がないから、指サックを指に嵌め込む操作が簡単となり、指サックの破損もなくなる。指サックを使う作業が終って指サックを抜く時は、図１（ト）において図１（イ）の如く指サック２の外周をその指挿入口からクルクル巻いてゆけば良く、これにより形成されるサック縮小体３を図１（ハ）の如く保持具５で保持しておき、次に指サックを指に嵌める時の備えとする。
図１（ハ）の保持具５はプラスチック又は少し厚い紙製の板に長穴６を形成したものであるが、図２（イ）の如くＵ字形又はＶ字形とすると（曲り方は小さいが）、サック縮小体３を挿入した時により強固に固定される。長穴６は図２（ロ）の如く横に複数個並べて形成する事ができる。又、長穴６に関しては図２（ハ）の如く一端が開いた形状としても良い。但し、図１（ハ）、図２（イ）、（ロ）の両端を閉じた長穴の場合は図２（ハ）に比し強いから、紙製の保持具でも十分に使用に耐えられる。更に長穴６は図２（イ）では板に長穴を平面的に形成したものであるが、図２（ニ）の如く立体的に形成する事も考えられる。図２（ホ）の保持具は巻き残り部４（図１（ロ）参照）が引っ掛からない為の傾斜角を有するガイド部８を備えたもので、矢印の方向からサック縮小体３を挿入する。図２（ヘ）に示す保持具は開きレバー１０を押すと（洗濯バサミの様に）挟みレバー９が開き、ここにサック縮小体３を挿入して挟みレバー９の弾性力により保持するものである。
【０００７】一般に指サックは抜け易い為、細目の指サックを無理に拡げて指に嵌め込んで抜けを防止する様にしている。この為、指が強く押圧されて痛くなり、指に嵌める時は指サックを引っ張って無理に拡げなければならず、嵌めるのに苦労する上、指サックが破損する事も起った。これを防ぐには、指の第１関節と第２関節との間の骨が細くなった部分で輪状の固定具により指に嵌めた指サックをその周囲から押圧する事により太目の指サックを使用しても抜けない様にするのが良い。
図３はその為の指サックの固定具を示し、先ず図３（イ）においてこの固定具１１はゴムの様な柔軟な弾力性のある弾性部材（高摩擦材料）から成る輪状の固定具であり、指に嵌めた指サックの周囲から押圧して指サックを抜けない様に固定するものである。固定具１１の断面は一般には図示の如く円形であり、この他図５（ハ）、（ニ）、（ホ）の如く楕円形（又は長円形）、正方形、長方形のものが考えられる。さて手の指には図３（ロ）の様に第１関節と第２関節との間の骨が細くなった部分１２があり（触って見れば直ちに判る）、本発明ではこの部分１２において図３（ハ）の如く指に嵌められた指サック１３の周囲から指サックを押圧して（この部分に固定具１１を嵌め込む）指サックを抜けない様に固定するのである。
こうすると指サック１３が指から抜けようとすると、骨が細くなった部分に嵌められている輪状の固定具１１はその収縮力に逆らって直径を拡大しつつ骨の太い部分の方へ移動しなければならず、容易には抜けようとはせず、強い固定力を発揮する（ここが重要なところで、通常の指サックの様に指の第２関節の後方で強く縮まる様に構成すると、この部分は骨が細くなっていない為、固定力は小さい）。次に指に嵌めた指サック１３に固定具１１を嵌め込む方法であるが、先ず考えられるのは固定具１１を指サックが嵌められた指の先に引っ掛けて引っ張り、穴径を大きくして指サック上を移動させて固定する方法であるが、やり難いので次の方法が良い。即ち、固定具１１の断面を円形又は図５の様に転がり易い形状とするのである。こうすると図４の様に指に嵌めた指サック１３上を指の長さ方向に固定具１１を右方向に押す事により、その断面が転がって所定の位置（指の第１関節と第２関節との間の骨が細くなった部分）まで容易に移動させる事ができる。
固定具１１を抜く時は左方向に引けば、その断面が転がって移動して容易に抜く事ができる。尚、指の第１関節と第２関節との間の骨の細くなった部分に相当する指サックの部位に、図４の如く目印１４（小さな突起など）を形成しておけば便利である。図５（イ）の固定具１１の断面は円形の断面からその一部を切り取って欠円部１５を形成した断面形状としたもので、指サック上にある固定具１１の断面とこれを図５（ロ）の如く１８０°回転させた状態とでは固定具１１の内径が異なる様にその断面形状を構成したものである。これにより固定具１１の押圧力を二段階に調整する事ができる（図５（イ）と（ロ）との状態では押圧力が異なる）。
図５（ハ）の楕円形（又は長円形）の断面によると、固定具は円形断面より広い面積を以って押圧するので、指が痛くならず、固定力も強くなる。
指サックと固定具とは以上では各々組み合わせてセットとして販売する。
尚、以上では指サックの固定力は固定具が受け持つから、図５（ヘ）の如く指サックの指挿入口を他の部分より若干大きくして指に嵌め易くする事が望ましい。又、指サックの固定力は固定具が受け持つから、指サックに穴を開けて空気の流通を良くしても良い。
尚、図５（ホ）において固定具の断面が更に長い長方形の場合は、図５（ト）の如く中間に薄肉部１６を形成すればここで二段に折れて重なるからゴロゴロ転がり易くなる。
この様に固定具の断面が長方形に限らず横幅が長い断面の場合は（これにより固定力が強固になる利点がある）、同様に中間に薄肉部を形成する事によりここで二段に折れて重なり、横幅が短かくなるので、ゴロゴロ転がり易くなる。又、この断面は、両端部が厚くなるので、外周を指で巻いてゆく時に指が掛け易くなる利点も生ずる。
【図面の簡単な説明】
【０００８】
【図１】本発明による指サックの嵌め方を示す図。
【図２】本発明における保持具を示す図。
【図３】指サックの固定方法を示す図。
【図４】指サックを嵌める又は抜く時の図
【図５】指サックの固定具の断面を示す図。
【符号の説明】１は指、２は指サック、３はサック縮小体、４は巻き残り部、５は保持具、６は長穴、７は切欠き部、８はガイド部、９は挟みレバー、１０は開きレバー、１１は固定具、１２は第１関節と第２関節との間の骨が細くなった部分、１３は指サック、１４は目印、１５は欠円部、１６は薄肉部である。
【図１】
2016215618.tif 000003
【図２】
2016215618.tif 000004
【図３】
2016215618.tif 000005
【図４】
2016215618.tif 000006
【図５】
2016215618.tif 000007